(57)【要約】  本発明は、アスリートのための広告および安全ベストに関し、それは、ランナーの胸に位置され、不浸透性の安全カバーの中に包まれ、小型の光コントローラに接続される発光ＬＥＤタイプの要素から構成されるパネルをスポーツ着に組み入れてなる。本発明はまた、スマートフォン用のアプリケーションを提供し、それによって、スポーツ着に関する広告キャンペーンのプロモータは、キャンペーン、参加者数、および最大参加者数を計画することができる。使用者は安全に運動ができて、ランニング、サイクリング、ウォーキングをするときに、使用者のモバイルのＧＰＳによって送られる信号に基づいた、宣伝のための経済的報酬を得られる。本発明はまた、ＧＰＳを使用した自動データ送信を実行するためのスマートフォンに関する。
2018511837.tif 000002
【特許請求の範囲】
【請求項１】
広告キャンペーンに使用する、アスリートのための広告および安全ベストであって、
Ａ．ポリエステル製のスポーツ着と、
Ｂ．前記スポーツ着に組み入れられた広告パネルであって、防水カバーによって防護されたＬＥＤまたは同様の要素で構成され、やはりカバーで防護されたコネクタおよび短いケーブルで、２つの３Ｖのボタン型電池およびオンオフ・スイッチを伴う小型の光コントローラに接続された、広告パネルと、
Ｃ．前記ケーブルを雨から防護する、不透明なプラスチック・カバーと、
Ｄ．オンオフ・スイッチ付きのコントローラ（代替として前記ベストは充電式バッテリーを備え付けられていてもよい）と、
Ｅ．スマートフォンと、
Ｆ．前記スマートフォンのＧＰＳ信号を使用して位置を決定し、かつデータ・ネットワークを使用してサーバと移動装置との間でデータを交換する、マルチプラットフォーム・アプリケーションと、
を共に備えてなる、アスリートのための広告および安全ベスト。
【請求項２】
請求項１に記載されたアスリートのための広告および安全ベストを使用するための方法であって、
Ａ．スマートフォンを使用して、前記ベストの使用者が、広告主によって作製されたモバイル・アプリケーションをダウンロードしてキャンペーンと契約し、前記アプリが、前記スマートフォンのＧＰＳ信号を使用して、前記使用者によって着用されたときの前記ベストの使用に関するデータ（踏破した距離）を自動的に送る、ステップと、
Ｂ．前記アプリを介して、前記スマートフォンが前記ＧＰＳ信号を使用して前記使用者の位置に関するデータ、ならびに３Ｇ／４ＧまたはＷｉＦｉネットワークを介して踏破した距離に関する情報を、データサーバに送るステップと、
Ｃ．一旦前記ベストの着用者が前記広告キャンペーンと契約すると、前記広告主は、前記使用者がランニング、サイクリング、またはウォーキングをする間に前記スマートフォンのＧＰＳ信号によって送られた前記信号およびデータ（踏破した距離）に基づき、前記ベストの前記着用者に経済的報酬を与えるステップと、
によって構成される方法。
【発明の詳細な説明】
【技術分野】
【０００１】
本発明は、ランナー、サイクリストなどのための衣料品であり、その最も目立つ側に、使用者の選択で自立的に明るくすることができる広告を有する。一方ではこれによってアスリートをより目立たせ、他方ではブランド商品のための営利目的の提示を提供する。
【０００２】
本発明は広告部門、詳細には、広告目的の衣料品および装飾品の製造に適用される。
【背景技術】
【０００３】
従来技術には、プリント回路基板に取付けられたＬＥＤを備え付けた衣料品が存在する。このタイプの衣料品は、道路作業員および建設作業員をより目立たせる安全ベストのように、安全服として設計される。
【０００４】
蛍光塗料または蓄光塗料を使用する、暗闇の中で光を反射する衣料製品および装飾製品も存在する。これらの製品（これらは発光しない）を反射させて光らせるためには、完全な暗闇が必要である。
【０００５】
「装飾光を有する衣料製品」と題した実用新案第１０７５号は、鑑賞目的または美観目的にＬＥＤ光を使用することを提案した。
【０００６】
したがって従来技術は、夜光ダスト、ＩＴＯフィルム、およびプリント層で構成された光パネルを有する、ＬＥＤシャツを含む。それらは、たとえば写真を、音に敏感な光とイコライザと共に展示して、音楽と共に光を動かすために使用される。
【０００７】
アスリートによって使用され、アスリートを道路上の車両に対してより目立たせて、事故の危険性を低減するためのＬＥＤベストもまた存在する。
【発明の概要】
【発明が解決しようとする課題】
【０００８】
記載された背景技術に基づき、「アスリートのための広告および安全ベスト」が、ＬＥＤを備え付けた衣料製品を導入することによって、従来技術に寄与する。ＬＥＤを備え付けた衣料製品は、道路上でより目立つ機能を保持し、かつ、特定のスマートフォンのアプリケーションを介して、ランナーが自身のベスト上の広告によって、走る期間に応じて報酬を得ることができる機能を追加する。
【課題を解決するための手段】
【０００９】
「アスリートのための広告および安全ベスト」は、ポリエステル製のスポーツ着で、ＬＥＤタイプの発光要素を備え付けている。アスリートがそのベストを着用すると、パネルはランナーの胸に位置して防水カバーによって防護され、特製のコネクタおよび短いケーブルによって、屋外用に設計された、２つの３Ｖボタン型電池を有する小型の光コントローラに接続される。代替として、コントローラは充電式バッテリーを使用できる。
【００１０】
ＬＥＤパネルをコントローラに接続するケーブルは、雨から防護して使用者が安全であるように、プラスチック・カバーを備える。コントローラは、電源を入れるためのスイッチを有する。
【００１１】
このセットは、スマートフォンのアプリケーション（アプリ）によって補足され、ここでは、広告主は、広告キャンペーンのタイプ、参加規則、最大参加者数、インセンティブなどを計画でき、使用者は、安全に契約することができ、ランニング、サイクリング、またはウォーキングをするときに、自身のスマートフォンのＧＰＳ信号に基づいて広告に対する報酬を得ることができる。
【００１２】
衣服が、キャンペーンと契約してベストを購入し、アプリをダウンロードした使用者の、ＬＥＤパネルに示される広告に基づく広告キャンペーンの一部である場合、この使用者は、使用者のスマートフォンから送られるＧＰＳデータに基づいて踏破した距離によって、報酬を得ることができる。
【００１３】
さらに、一旦このベストが着用されて有効になると、ＬＥＤパネルがオンにされてランナーの可視性が向上することによって、ランナーの安全を高める。ＬＥＤパネルは点滅モードに設定することもでき、可視性の低い道路上での車両または他の脅威に対する予防となる。
【００１４】
本記載を補足するため、および本発明の特徴をより理解するため、ならびに本発明の好ましい実施形態を提示するために、図面のセットが添付されている。これらは本記載と一体の一部分を成し、例示の目的だけのものである。
【図面の簡単な説明】
【００１５】
【図１】ランニング中の人が着用した「アスリートのための広告および安全ベスト」の主景を示す図である。
【図２】スポーツ着上のＬＥＤパネルを構成する要素を示す図である。
【００１６】
下記の構成要素は、前出の図面において強調され得る。
１．ＬＥＤ光パネル
２．コネクタ
３．ケーブル
４．コントローラ
【発明を実施するための形態】
【００１７】
図１は、広告キャンペーン中の「アスリートのための広告および安全ベスト」の、好ましい実施形態を示す。ランナーは、胸に提示される広告コンテンツを伴うＬＥＤ発光パネル（１）を有するスポーツ着を着用している。
【００１８】
図２は、可撓コネクタ（２）、ケーブル（３）、およびバッテリー・コントローラ（４）を伴う発光広告パネルの詳細を示す。
【００１９】
記載された要素に基づいて、本発明は、高輝度または点滅モードに設定され得る発光パネル上に提示される広告を組み入れた、スポーツ着を着用することによって、ランナーが広告要素になることを可能にする。したがって、広告キャンペーンと契約したアスリートは、自身が踏破する距離を監視するアプリが入ったスマートフォンを所有する必要がある。スポーツ着のスイッチを入れて運動をすることによって、アスリートは、いくらかの経済的報酬を得ることになり、それはアスリートがトレーニングを継続することを鼓舞することになる。広告主は、この方法でしか届かない空間に、手が届くことになる。
【００２０】
この記述的な明細書は、当技術における任意の専門家が、本発明の範囲および本発明の使用によって導出され得る利点を理解するために、十分であると考えられる。
【００２１】
衣服のデザイン、使用される材料、広告の位置、ＬＥＤもしくは任意の他のタイプの照明、バッテリーもしくは充電式バッテリーの使用、または全体的な技術は、本発明の本質を変えない限り、変更され得る。
【００２２】
本明細書で使用された用語は、広範囲かつ非限定的であると理解すべきである。
【図１】
2018511837.tif 000003
【図２】
2018511837.tif 000004
【国際調査報告】
2018511837.tif 000005
2018511837.tif 000006
2018511837.tif 000007
2018511837.tif 000008